(57)【要約】      （修正有）【課題】受信したＯＦＤＭシンボル間のタイミング補正のプロセスを簡略化することと、チャネル推定時間ベースを、復調されることになるＯＦＤＭシンボルの時間ベースに一致させることを提供する。【解決手段】ＯＦＤＭ通信では、ＦＦＴウィンドウポジションの決定の後に、ＦＦＴウィンドウにより導出されたデータサンプルに対してプレＦＦＴ循環シフトを適用して、シンボル間の、および／または、シンボルとそれらの対応するチャネル推定との間の、時間ベースの一致処理を達成する。【選択図】図１
2014161035.tif 000002
【特許請求の範囲】
【請求項１】
ワイヤレス通信方法において、
ＯＦＤＭシンボルのシーケンスを受信することと、
前記ＯＦＤＭシンボルのシーケンス内のターゲットＯＦＤＭシンボルに対して、それぞれのサンプル時間間隔において、時間ドメインサンプルの対応するシーケンスを生成させることと、
タイミング補正プロセスを使用して、前記ターゲットＯＦＤＭシンボルの送信と受信との間のタイミングオフセットを近似する前記サンプル時間間隔の数を決定することと、
前記サンプル時間間隔の数に基づいて、前記サンプルのシーケンスを循環的にシフトさせて、サンプルのさらなるシーケンスを生成させることと、
前記サンプルのさらなるシーケンスに関して、ＦＦＴ処理を適用することとを含む方法。
【請求項２】
前記ＯＦＤＭシンボルの連続するシンボルは、前記ターゲットＯＦＤＭシンボルの連続するインスタンスを構成し、
前記生成させることと、前記使用することと、前記循環的にシフトさせることと、前記適用することとを、前記ターゲットシンボルの前記各インスタンスに関して実行することを含む請求項１記載の方法。
【請求項３】
前記ターゲットＯＦＤＭシンボルの前記各インスタンスに対して、
前記ＯＦＤＭシンボルのシーケンス中の前のすべてのＯＦＤＭシンボルに対して決定された前記サンプル時間間隔の数の累積を表す累積値を提供することと、
前記累積値を更新して、前記ターゲットＯＦＤＭシンボルの前記インスタンスに関係する前記サンプル時間間隔の数に対処する更新された累積値を生成させることとを含み、
前記循環的にシフトさせることは、前記ターゲットＯＦＤＭシンボルの前記各インスタンスに対して、前記更新された累積値に等しいサンプル時間間隔の数だけ、サンプルの関係するシーケンスを循環的にシフトさせることを含む請求項２記載の方法。
【請求項４】
ワイヤレス通信装置において、
ＯＦＤＭシンボルのシーケンスを受信する手段と、
前記ＯＦＤＭシンボルのシーケンス内のターゲットＯＦＤＭシンボルに対して、それぞれのサンプル時間間隔において、時間ドメインサンプルの対応するシーケンスを生成させる手段と、
タイミング補正プロセスを使用して、前記ターゲットＯＦＤＭシンボルの送信と受信との間のタイミングオフセットを近似する前記サンプル時間間隔の数を決定する手段と、
前記サンプル時間間隔の数に基づいて、前記サンプルのシーケンスを循環的にシフトさせて、サンプルのさらなるシーケンスを生成させる手段と、
前記サンプルのさらなるシーケンスに関して、ＦＦＴ処理を適用する手段とを具備する装置。
【請求項５】
前記ＯＦＤＭシンボルの連続するシンボルは、前記ターゲットＯＦＤＭシンボルの連続するインスタンスを構成し、
前記生成させることと、前記使用することと、前記循環的にシフトさせることと、前記適用することとを、前記ターゲットＯＦＤＭシンボルの前記各インスタンスに対して実行する手段を具備する請求項４記載の装置。
【請求項６】
前記ターゲットＯＦＤＭシンボルの前記各インスタンスに関して動作可能であり、前記ＯＦＤＭシンボルのシーケンス中の前のすべてのＯＦＤＭシンボルに対して決定された前記サンプル時間間隔の数の累積を表す累積値を提供する手段と、
前記ターゲットＯＦＤＭシンボルの前記各インスタンスに関して動作可能であり、前記累積値を更新して、前記ターゲットＯＦＤＭシンボルの前記インスタンスに関係する前記サンプル時間間隔の数に対処する更新された累積値を生成させる手段とを具備し、
前記循環的にシフトさせる手段は、前記ターゲットＯＦＤＭシンボルの前記各インスタンスに関して動作可能であり、前記更新された累積値に等しいサンプル時間間隔の数だけ、サンプルの関係するシーケンスを循環的にシフトさせる手段を備える請求項５記載の装置。
【請求項７】
ワイヤレス通信装置において、
ＯＦＤＭシンボルのシーケンスを受信する入力と、
前記入力に結合され、前記ＯＦＤＭシンボルのシーケンス内のターゲットＯＦＤＭシンボルに対して、それぞれのサンプル時間間隔において、時間ドメインサンプルの対応するシーケンスを生成させるように構成されている受信機フロントエンドアレンジメントと、
タイミング補正プロセスを使用して、前記ターゲットＯＦＤＭシンボルの送信と受信との間のタイミングオフセットを近似する前記サンプル時間間隔の数を決定するように構成されているタイミング制御装置と、
前記受信機フロントエンドアレンジメントと前記タイミング制御装置とに結合され、前記サンプル時間間隔の数に基づいて、前記サンプルのシーケンスを循環的にシフトさせて、サンプルのさらなるシーケンスを生成させるように構成されている循環シフターと、
前記循環シフターに結合され、前記サンプルのさらなるシーケンスに関して、ＦＦＴ処理を適用するように構成されているＦＦＴユニットとを具備する装置。
【請求項８】
前記受信機フロントエンドアレンジメントは、前記ターゲットＯＦＤＭシンボルの連続するインスタンスとして、前記ＯＦＤＭシンボルの連続するシンボルを提供し、前記ターゲットＯＦＤＭシンボルの前記各インスタンスに対して、それぞれのサンプル時間間隔において、時間ドメインサンプルの対応するシーケンスを生成させ、
前記タイミング制御装置は、前記タイミング補正プロセスを使用して、前記ターゲットＯＦＤＭシンボルの前記各インスタンスに対して、前記ターゲットＯＦＤＭシンボルの前記インスタンスの送信と受信との間のタイミングオフセットを近似する前記サンプル時間間隔の数を決定し、
前記循環シフターは、前記ターゲットＯＦＤＭシンボルの前記各インスタンスに対して、前記サンプル時間間隔の関係する数に基づいて、サンプルの関係するシーケンスを循環的にシフトさせて、サンプルのさらなるシーケンスを生成させ、
前記ＦＦＴユニットは、前記ターゲットＯＦＤＭシンボルの前記各インスタンスに対して、サンプルの関係するさらなるシーケンスに関して、ＦＦＴ処理を適用する請求項７記載の装置。
【請求項９】
前記タイミング制御装置は、前記ターゲットＯＦＤＭシンボルの前記各インスタンスに対して、前記ＯＦＤＭシンボルのシーケンス中の前のすべてのＯＦＤＭシンボルに対して決定された前記サンプル時間間隔の数の累積を表す累積値を提供し、前記累積値を更新して、前記ターゲットＯＦＤＭシンボルの前記インスタンスに関係する前記サンプル時間間隔の数に対処する更新された累積値を生成させ、
前記循環シフターは、前記ターゲットＯＦＤＭシンボルの前記各インスタンスに対して、前記更新された累積値に等しいサンプル時間間隔の数だけ、サンプルの関係するシーケンスを循環的にシフトさせる請求項８記載の装置。
【請求項１０】
コンピュータ読取可能媒体を具備し、ワイヤレス通信をサポートするコンピュータプログラムプロダクトにおいて、
前記コンピュータ読取可能媒体は、
少なくとも１つのデータプロセッサに、受信したＯＦＤＭシンボルのシーケンス内のターゲットＯＦＤＭシンボルに対して、それぞれのサンプル時間間隔において、時間ドメインサンプルの対応するシーケンスを生成させるためのコードと、
前記少なくとも１つのデータプロセッサに、タイミング補正プロセスを使用して、前記ターゲットＯＦＤＭシンボルの送信と受信との間のタイミングオフセットを近似する前記サンプル時間間隔の数を決定させるためのコードと、
前記少なくとも１つのデータプロセッサに、前記サンプル時間間隔の数に基づいて、前記サンプルのシーケンスを循環的にシフトさせて、サンプルのさらなるシーケンスを生成させるためのコードと、
前記少なくとも１つのデータプロセッサに、前記サンプルのさらなるシーケンスに関して、ＦＦＴ処理を適用させるためのコードとを含むコンピュータプログラムプロダクト。
【請求項１１】
前記ＯＦＤＭシンボルの連続するシンボルは、前記ターゲットＯＦＤＭシンボルの連続するインスタンスを構成し、
前記コンピュータ読取可能媒体は、前記少なくとも１つのデータプロセッサに、前記生成させることと、前記使用することと、前記循環的にシフトさせることと、前記適用することとを、前記ターゲットシンボルの前記各インスタンスに関して実行させるためのコードを含む請求項１０記載のコンピュータプログラムプロダクト。
【請求項１２】
前記コンピュータ読取可能媒体は、前記ターゲットＯＦＤＭシンボルの前記各インスタンスに対して、前記少なくとも１つのデータプロセッサに、
前記ＯＦＤＭシンボルのシーケンス中の前のすべてのＯＦＤＭシンボルに対して決定された前記サンプル時間間隔の数の累積を表す累積値を提供させ、
前記累積値を更新して、前記ターゲットＯＦＤＭシンボルの前記インスタンスに関係する前記サンプル時間間隔の数に対処する更新された累積値を生成させ、
前記更新された累積値に等しいサンプル時間間隔の数だけ、サンプルの関係するシーケンスを循環的にシフトさせるためのコードを含む請求項１１記載のコンピュータプログラムプロダクト。
【請求項１３】
ワイヤレス通信方法において、
ＯＦＤＭシンボルのシーケンスを受信することと、
前記ＯＦＤＭシンボルのそれぞれに対して、それぞれのサンプル時間間隔において、時間ドメインサンプルの対応するシーケンスを生成させることと、
少なくとも１つの前記ＯＦＤＭシンボルに対して、
前記サンプルの対応するシーケンスを循環的にシフトさせて、サンプルのさらなるシーケンスを生成させることを含み、前記少なくとも１つのＯＦＤＭシンボルに関係する時間ベースを変換して、対応する時間ベース変換されたＯＦＤＭシンボルを生成させることと、
前記サンプルのさらなるシーケンスに関して、ＦＦＴ処理を適用することとを含む方法。
【請求項１４】
前記循環的にシフトさせることは、前記少なくとも１つのＯＦＤＭシンボルの送信と受信との間の推定されたタイミングオフセットに基づいている前記サンプル時間間隔の数だけ、前記サンプルのシーケンスを循環的にシフトさせることを含む請求項１３記載の方法。
【請求項１５】
ワイヤレス通信装置において、
ＯＦＤＭシンボルのシーケンスを受信する手段と、
前記ＯＦＤＭシンボルのそれぞれに対して、それぞれのサンプル時間間隔において、時間ドメインサンプルの対応するシーケンスを生成させる手段と、
前記サンプルの対応するシーケンスを循環的にシフトさせて、サンプルのさらなるシーケンスを生成させる手段を備え、少なくとも１つの前記ＯＦＤＭシンボルに関して動作可能であり、前記少なくとも１つのＯＦＤＭシンボルに関係する時間ベースを変換して、対応する時間ベース変換されたＯＦＤＭシンボルを生成させる手段と、
前記サンプルのさらなるシーケンスに関して、ＦＦＴ処理を適用する手段とを具備する装置。
【請求項１６】
前記循環的にシフトさせる手段は、前記少なくとも１つのＯＦＤＭシンボルの送信と受信との間の推定されたタイミングオフセットに基づいている前記サンプル時間間隔の数だけ、前記サンプルのシーケンスを循環的にシフトさせる手段を備える請求項１５記載の装置。
【請求項１７】
ワイヤレス通信装置において、
ＯＦＤＭシンボルのシーケンスを受信する入力と、
前記入力に結合され、前記ＯＦＤＭシンボルのそれぞれに対して、それぞれのサンプル時間間隔において、時間ドメインサンプルの対応するシーケンスを生成させるように構成されている受信機フロントエンド装置と、
前記受信機フロントエンド装置に結合され、前記ＯＦＤＭシンボルの少なくとも１つに関係する前記サンプルのシーケンスを循環的にシフトさせて、前記少なくとも１つのＯＦＤＭシンボルの時間ベース変換を表す、サンプルのさらなるシーケンスを生成させるように構成されている循環シフターと、
前記循環シフターに結合され、前記サンプルのさらなるシーケンスに関して、ＦＦＴ処理を適用するように構成されているＦＦＴユニットとを具備する装置。
【請求項１８】
前記循環シフターは、前記少なくとも１つのＯＦＤＭシンボルの送信と受信との間の推定されたタイミングオフセットに基づいている前記サンプル時間間隔の数だけ、前記サンプルのシーケンスを循環的にシフトさせる請求項１７記載の装置。
【請求項１９】
コンピュータ読取可能媒体を具備し、ワイヤレス通信をサポートするコンピュータプログラムプロダクトにおいて、
前記コンピュータ読取可能媒体は、
受信したＯＦＤＭシンボルのシーケンス内の各ＯＦＤＭシンボルに対して、少なくとも１つのデータプロセッサに、それぞれのサンプル時間間隔において、時間ドメインサンプルの対応するシーケンスを生成させるためのコードと、
前記少なくとも１つのデータプロセッサに、前記サンプルの対応するシーケンスを循環的にシフトさせて、サンプルのさらなるシーケンスを生成させるためのコードを含み、前記少なくとも１つのデータプロセッサに、前記ＯＦＤＭシンボルのうちの少なくとも１つのシンボルの時間ベースを変換して、対応する時間ベース変換されたＯＦＤＭシンボルを生成させるためのコードと、
前記少なくとも１つのデータプロセッサに、前記サンプルのさらなるシーケンスに関して、ＦＦＴ処理を適用させるためのコードとを含むコンピュータプログラムプロダクト。
【請求項２０】
前記コンピュータ読取可能媒体は、前記少なくとも１つのデータプロセッサに、前記少なくとも１つのＯＦＤＭシンボルの送信と受信との間の推定されたタイミングオフセットに基づいている前記サンプル時間間隔の数だけ、前記少なくとも１つのＯＦＤＭシンボルに関係する前記サンプルのシーケンスを循環的にシフトさせるためのコードを含む請求項１９記載のコンピュータプログラムプロダクト。
【発明の詳細な説明】
【米国特許法第１１９条の下での優先権の主張】
【０００１】
本出願は、２００９年１月１７日に出願され、その譲受人に譲渡され、参照によりここに明示的に組み込まれている、仮出願第６１／１４５，５３６号に対する優先権を主張する。
【背景】
【０００２】
分野
本開示は、一般的にワイヤレス通信に関し、さらに詳細には、直交周波数分割多重化（ＯＦＤＭ）を使用するワイヤレス通信に関する。
【０００３】
背景
ＤＶＢ−ＨまたはＩＳＤＢ−Ｔのような、従来のマルチ搬送波システムでは、チャネル推定（ＣＥ）を使用して、ＯＦＤＭデータシンボルの復調のために、各ＯＦＤＭ副搬送波と各ＯＦＤＭシンボルとに対するチャネル周波数応答の推定を取得する。さらに、ＣＥは、時間追跡アルゴリズムに対するチャネルインパルス応答の推定を提供する。さまざまなＣＥアルゴリズムの詳細な説明が、米国出願第１１／７７７，２５１号中に提供されている。
【０００４】
ＣＥアルゴリズムは、送信される信号中に埋め込まれているパイロット副搬送波に基づくものである。ＣＥ性能を改善するために、いくつかの連続したシンボルにわたって、パイロット情報を補間する。データ復調の間に、時間追跡アルゴリズムは、送信された信号タイミングを追跡し続けるために、ＦＦＴウィンドウのポジションを進めるまたは遅らせることがある。こうした時間調整がＣＥアルゴリズムによって考慮されない場合には、パイロット情報補間に対して使用されるＯＦＤＭシンボルの異なる時間ベースが原因となり、ＣＥ性能が低下する。
【０００５】
ＣＥ性能の低下を避けるために、パイロット情報を補間する前に、ＯＦＤＭシンボル（または、パイロット副搬送波のみ）を、同じ時間ベースに変換する。この操作は、タイミング補正として呼ばれる。時間補正されたパイロットを補間して、チャネル推定を取得する。（チャネル推定を取得するために使用されるすべてのＯＦＤＭシンボルの時間ベースと同一である）このチャネル推定の時間ベースは、チャネル推定で復調されることになる対応するＯＦＤＭシンボルの時間ベースとは異なることがある。そうである場合に、チャネル推定は、このＯＦＤＭシンボルの復調より前に、対応するＯＦＤＭシンボルの時間ベースに変換されなければならない。この操作は、チャネル推定の時間ベースと、チャネル推定により復調されることになるＯＦＤＭシンボルの時間ベースとの一致処理として呼ばれる。
【０００６】
米国第１１／７７７，２５１号では、周波数ドメインパイロット補間と、時間ドメインパイロット補間とが説明されている。（タイミング補正のために）ＯＦＤＭシンボル時間ベースを変化させ、（チャネル推定時間ベースを、対応するＯＦＤＭシンボルに一致させるために）チャネル推定時間べースを変化させる方法が説明されている。これらの方法は、ハードウェアによりまたはファームウェアにより実行されなければならない位相操作を伴う。
【０００７】
米国第１１／７７７，２５１号において説明されているＣＥアルゴリズムでは、（ｍ＜ｐ＜ｎである）時間ｐにおけるＯＦＤＭシンボルを復調するためのチャネル推定を取得するために、（ｍ＜ｎである）時間ｍから時間ｎまでの連続したＯＦＤＭシンボルを時間ｎにおいて補間する。（ここでは“ＯＦＤＭシンボルｎ”としても呼ばれる）時間ｎにおけるＯＦＤＭシンボルが届いたときに、ＯＦＤＭシンボルｍ〜ＯＦＤＭシンボルｎ−１の時間補正されたバージョンのパイロットをメモリ中に記憶し、それらの時間ベースが、時間ｎにおいてチャネル推定が取得されなければならないＯＦＤＭシンボルｐの時間ベースに一致していることを、すべてのアルゴリズムは仮定している。すべてのアルゴリズムは同じ構造を有しており、ＯＦＤＭシンボルｎが届いたときに、以下のステップを実行する：
１）ＯＦＤＭシンボルｎとＯＦＤＭシンボルｐの間のすべてのＦＴＴウィンドウ時間更新を合計することにより、これら２つのシンボルの時間ベース間の差を取得する。  
２）ハードウェアによりまたはファームウェアにより実行される位相操作を使用して、ＯＦＤＭシンボルｎのパイロットをＯＦＤＭシンボルｐの時間ベースに変換する。位相は、ステップ１の結果を使用して計算する。  
３）時間補正されたＯＦＤＭシンボルｍないしｎのパイロットを補間し、ＯＦＤＭシンボルｐの時間ベースと等しい時間ベースを持つチャネル推定を取得する。  
４）ステップ３において取得したチャネル推定により、ＯＦＤＭシンボルｐを復調する。チャネル推定時間ベースは、ＯＦＤＭシンボルｐの時間ベースに等しい。  
５）ＯＦＤＭシンボルｐの時間ベースとＯＦＤＭシンボルｐ＋１の時間ベースとの差を取得する。これは、これら２つのシンボル間のＦＴＴウィンドウ時間更新である。  
６）ハードウェアによりまたはファームウェアにより実行される位相操作を使用して、ＯＦＤＭシンボルｐの時間ベースから、ＯＦＤＭシンボルｐ＋１の時間ベースへと、ＯＦＤＭシンボルｍ＋１ないしｎのパイロットを変換する。位相は、ステップ５の結果を使用して計算する。これらのＯＦＤＭシンボルの時間補正されたパイロットをメモリ中に記憶する。もはや必要とされない、ＯＦＤＭシンボルｍの時間補正されたパイロットの代わりに、ＯＦＤＭシンボルｎの時間補正されたパイロットをメモリ中に記憶する。このステップは、次のチャネル推定の時間ベースを、ＯＦＤＭシンボルｐ＋１に対して、ＯＦＤＭシンボルｐ＋１の時間ベースに一致させる。
【０００８】
ＯＦＤＭシンボルｎ＋１等に対して、上記のステップが繰り返される。
【０００９】
理解することができるように、既存のアルゴリズムは、多くの位相操作を必要とする。これらの操作を実現するために、特殊ハードウェアおよび特殊ファームウェアコードが必要とされる。これらの操作は、設計および検査を複雑にし、電力消費を増加させ、計算時間を必要とする。
【００１０】
受信したＯＦＤＭシンボル間のタイミング補正のプロセスを簡略化することと、チャネル推定時間ベースを、復調されることになるＯＦＤＭシンボルの時間ベースに一致させることとを行うことが、先述の観点から望ましい。
【概要】
【００１１】
ＯＦＤＭ通信における時間ベースの一致処理を達成するために、プレＦＦＴ循環シフトを使用する。シンボル間の、および／または、シンボルとそれらの対応するチャネル推定との間の、時間ベースの一致処理を達成してもよい。
【図面の簡単な説明】
【００１２】
ワイヤレス通信システムのさまざまな側面は、限定としてではなく、例示として、添付の図面中に示されている。
【図１】図１は、本ワークの例示的な実施形態にしたがった、ＦＦＴウィンドウ循環シフティングの例を示している。
【図２−１】図２ａ〜図２ｃは、ＦＦＴウィンドウ循環シフティングが、受信機におけるチャネルインパルス応答推定にどのように影響を与えるかを示しているタイミングダイヤグラムである。
【図２−２】図２ｄ〜図２ｆは、ＦＦＴウィンドウ循環シフティングが、受信機におけるチャネルインパルス応答推定にどのように影響を与えるかを示しているタイミングダイヤグラムである。
【図３−１】図３ａ〜図３ｂは、ＦＦＴウィンドウ循環シフティングにより影響を受けているチャネルインパルス応答推定に適用されたときの、既知のゼロパディングプロセスの結果を示しているタイミングダイヤグラムである。
【図３−２】図３ｃ〜図３ｄは、図３ａおよび図３ｂのゼロパディングプロセスの所望の結果を示しているタイミングダイヤグラムである。
【図４】図４は、本ワークの例示的な実施形態にしたがった、ＦＦＴウィンドウポジション更新と、対応する循環シフトの簡略化された例を示している。
【図５】図５は、本ワークの例示的な実施形態にしたがった、ＯＦＤＭ受信機装置を図示的に示している。
【図６】図６は、本ワークの例示的な実施形態にしたがった、図５の装置の一部を図示的に示している。
【詳細な説明】
【００１３】
添付の図面に関連して下記で述べる詳細な説明は、本ワークのさまざまな実施形態の説明として意図されているが、本ワークを実施することができる実施形態のみを表すことを意図していない。詳細な説明は、本ワークの完全な理解を提供する目的のために、特定の詳細を含んでいる。しかしながら、これらの特定の詳細なしに本ワークを実施できることは当業者にとって明らかだろう。いくつかの事例では、本ワークの概念を不明瞭にすることを避けるために、よく知られている構造およびコンポーネントを、ブロックダイヤグラムの形態で示している。
【００１４】
単語“例示的な”は、ここでは、“例、事例、または、例示としての役割を果たす”ことを意味するように使用する。“例示的な”としてここで説明する何らかの実施形態は、必ずしも、他の実施形態より好ましい、または、他の実施形態より利点があるものとして解釈すべきではない。
【００１５】
本ワークの例示的な実施形態は、ＦＦＴを実行する前に、ＦＦＴウィンドウの時間ドメイン循環シフトを実現する。循環シフトは、容易に実現される。いくつかの実施形態は、シンプルなハードウェア循環アドレッシングインプリメンテーションを利用する。上記で説明したような位相操作が必要とされないので、設計は簡略化され、より少ないハードウェア、ファームウェアコード、計算電力、および、設計検査時間しか必要とされない。
【００１６】
いくつかの実施形態では、データ復調の開始から（循環シフトが計算されることになる）現在のＯＦＤＭシンボルまでのすべてのＦＦＴウィンドウタイミング更新を合計することにより、必要とされる循環シフトを計算する。その後、計算したシフトにより、現在のシンボルのＦＦＴウィンドウが循環的にシフトされる。この操作は、結果として、受信したシーケンス中の各ＯＦＤＭシンボルを、第１のＯＦＤＭシンボルの時間ベースに変換することになるので、すべてのＯＦＤＭシンボルは同じ時間ベースを有する。循環シフトは、パイロット副搬送波とデータ副搬送波の双方の時間ベースを同時に変化させるので、チャネル推定を使用して復調されることになる対応するＯＦＤＭシンボルに、チャネル推定を一致させる必要はない。そのため、循環シフトは、（１）受信したＯＦＤＭシンボル間の所望のタイミング補正、および、（２）チャネル推定時間ベースと、復調されることになる対応するＯＦＤＭシンボルの時間ベースとの所望の一致処理の双方を達成する。
【００１７】
循環シフト操作は、時間追跡アルゴリズムにより提供されるＦＦＴウィンドウポジショニング更新とは異なることに留意されたい。はじめに、時間追跡アルゴリズムの出力にしたがって、ＦＦＴウィンドウポジションが進められるまたは遅らせられる。その後、このＦＦＴウィンドウポジションを使用して、現在のＯＦＤＭシンボルに対するＦＦＴウィンドウを導出した後で、現在のＯＦＤＭシンボルの時間ベースを第１のＯＦＤＭシンボルの時間ベースに変化させるために、導出したＦＦＴウィンドウを循環的にシフトさせる。
【００１８】
図１は、本ワークの例示的な実施形態にしたがった、ＦＦＴウィンドウ循環シフティングの例を示している。アルゴリズムは、ＯＦＤＭシンボルの受信したシーケンスの第１のＯＦＤＭシンボル、すなわち、ＯＦＤＭシンボル１において開始する。ＯＦＤＭシンボル１は、シーケンス中のシンボルのその他のものに対する時間ベース基準としての役割を果たすだろう。何らかの適切な従来技術にしたがって（例えば、データ復調の前の信号捕捉状態の間に、タイミング捕捉アルゴリズムにより）、第１のＯＦＤＭシンボルに対して、初期のＦＦＴウィンドウポジションが決定され、累積時間更新値が、初期値である０にセットされる。累積時間更新値は、必要とされる循環シフトを表す。したがって、循環シフトは、ＯＦＤＭシンボル１に対しては０である、すなわち、循環シフティングは何ら必要ない。したがって、ＯＦＤＭシンボル１に対するＦＦＴウィンドウは、循環シフティングなしで、初期のＦＦＴウィンドウポジションにしたがって導出される。
【００１９】
受信したシーケンスの次に続くＯＦＤＭシンボルである、ＯＦＤＭシンボル２に対しては、時間追跡アルゴリズムにより、ＯＦＤＭシンボル１に対して使用された初期のＦＦＴウィンドウポジションに関する（図１の例では、＋２サンプルの）オフセットとして、対応するＦＦＴウィンドウポジションが提供される。このオフセット値は、初期の累積時間更新値に加えられ、＋２（０＋２）サンプルの新しい累積時間更新値を生成させる。この新しい累積時間更新値は、ＯＦＤＭシンボル２に対して必要とされる循環シフトを表す。ＯＦＤＭシンボル２に対するＦＦＴウィンドウは、時間追跡アルゴリズムにより、ＯＦＤＭシンボル２に提供される（すなわち、初期のＦＦＴウィンドウポジションから＋２サンプルオフセットされている）ウィンドウポジションにしたがって導出され、その後、導出されたＦＦＴウィンドウ内のサンプルは、右に＋２サンプル循環的にシフトされる。この時点で、ＯＦＤＭシンボル２に対する循環的にシフトされたＦＦＴウィンドウは、ＯＦＤＭシンボル１（基準シンボル）と同じ時間ベースを有する。
【００２０】
次に続くＯＦＤＭシンボルである、ＯＦＤＭシンボル３に対しては、時間追跡アルゴリズムにより、ＯＦＤＭシンボル２に対して使用されたＦＦＴウィンドウポジションに関する（図１の例では−３サンプルの）オフセットとして、対応するＦＦＴウィンドウポジションが提供される。このオフセット値は、現在の累積時間更新値（＋２サンプル）に加えられ、−１（＋２＋−３）サンプルの新しい累積時間更新値を生成させる。この新しい累積時間更新値は、ＯＦＤＭシンボル３に対して必要とされる循環シフトを表す。したがって、ＯＦＤＭシンボル３に対するＦＦＴウィンドウは、時間追跡アルゴリズムにより、ＯＦＤＭシンボル３に提供される（すなわち、ＯＦＤＭ２に対して使用されたＦＦＴウィンドウポジションから−３サンプルオフセットされている）ウィンドウポジションにしたがって導出され、その後、導出されたＦＦＴウィンドウ内のサンプルは、右に−１サンプル循環的にシフトされる（事実上、左に１サンプルの循環シフトである）。この時点で、ＯＦＤＭシンボル３に対する循環的にシフトされたＦＦＴウィンドウは、ＯＦＤＭシンボル１およびＯＦＤＭシンボル２と同じ時間ベース、すなわち、ＯＦＤＭ１（基準シンボル）の時間ベースと同じ時間ベースを有する。
【００２１】
受信したシーケンス中のすべてのＯＦＤＭシンボルに対して、先述のプロセスが繰り返してもよい。ＦＦＴウィンドウ長の倍数だけ異なる循環シフトは等価なので、いくつかの実施形態は、Ｌを法とする累積時間更新値を維持し、ここで、ＬはＦＦＴウィンドウ長である。
【００２２】
言及したように、循環シフトは、（チャネル推定に対して使用される）パイロット副搬送波と、（復調に対して使用される）データ副搬送波との双方の時間ベースを同時に変化させる。それゆえ、適切な復調のための要件――たとえその等しい時間ベースがいくつであろうと、チャネル推定と、対応するＯＦＤＭシンボルとに対して等しい時間ベースである――が満たされ、等しい時間ベースは、ＯＦＤＭシンボル１の時間ベースである。したがって、チャネル推定の時間ベースは、そのチャネル推定を使用して復調されることになる対応するＯＦＤＭシンボルの時間ベースに一致する。
【００２３】
図４は、本ワークの例示的な実施形態にしたがった、＋２サンプルのＦＦＴウィンドウポジション更新に対する、簡略化された例を示している。図４では、有効なＯＦＤＭシンボル持続時間に対応するサンプルは、０〜９で示される。示されているサンプルシーケンスでは、サンプル８およびサンプル９が、循環プリフィックスとして、シーケンスの開始において繰り返されており、これは、ＯＦＤＭシステムでは通常のことである。入力バッファコンテンツに関する第１のＦＦＴウィンドウのポジションが、Ｉにおいて示されている。この例では、明確さのために、第１のＦＦＴウィンドウに関係する累積時間更新値は０であると仮定する。Ｉにおいて示されている第１のＦＦＴウィンドウポジションに関する＋２のサンプルのシフトは、結果として、ＩＩにおいて示されている第２のＦＦＴウィンドウポジションになる。＋２（すなわち、０＋２）サンプルの右循環シフトの後、第２のＦＦＴウィンドウ中のサンプルのシフトされたシーケンスは、ＩＩＩにおいて示されているようになる。
【００２４】
いくつかのＯＦＤＭ通信システムでは、パイロット副搬送波におけるチャネル周波数応答の推定を取得するために、周波数ドメイン中でパイロットが補間される。逆ＦＦＴ（ＩＦＦＴ）により、このチャネル周波数応答から、チャネルインパルス応答の推定が取得される。上述した、ＦＦＴウィンドウ内のサンプルの循環シフティングは、システムにより実現される関連アルゴリズムに影響を与える。さらに詳細には、チャネルインパルス応答を使用する時間追跡アルゴリズムは、ＯＦＤＭシンボル復調のためのチャネル周波数応答を取得するためにパイロット間を補間するアルゴリズムであるので、影響を受ける。これらの影響を受けるアルゴリズムを、循環シフトの影響を取り除くように改良してもよい。以下の注釈を使用して、適切な改良の例を下記で説明する：
ＮK：（データおよびパイロットの）副搬送波の数
Ｎ：受信機ＦＦＴサイズ
ＮIFFT：ＩＦＦＴサイズ。これは、
【数１】
2014161035.tif 000003
【００２５】
に等しいパイロット副搬送波の数より大きい、または、
【数２】
2014161035.tif 000004
【００２６】
に等しいパイロット副搬送波の数に等しい、２の累乗であるべきである。例には、ＮIFFT＝Ｎ／２、および、ＮIFFT＝Ｎ／４が含まれる。  
ＦBin：ＯＦＤＭビンスペーシング
Ｔchipx1：ＦＦＴ入力における、ＯＦＤＭ信号サンプリング間隔。つまり、Ｔchipx1＝１／ＮＦBinである。
【００２７】
復調のために、ＦBinの周波数応答分解能が必要とされる。時間ドメインにおけるインパルス応答の対応する期間は、ＮＴchipx1である。しかしながら、受信機は、パイロットトーンにおけるチャネル周波数応答のデシメートされた測定値のみを有しており、パイロットトーンは、３ＦBin離れている。周波数ドメインにおけるこの３によるデシメーションは、インパルス応答の３分の１の３つを互いの上に折り返し、Ｎ／３・Ｔchipx1に時間ドメイン期間を減少させる。ネットワークにより適切なＯＦＤＭモードが使用されるときには、非ゼロ範囲のオリジナルのインパルス応答（チャネル遅延拡散）は、（例えば、ＩＳＤＢ−ＴおよびＤＶＢ−Ｈに対しては）その持続時間が通常Ｎ／４・Ｔchipx1である最大ガード間隔より短いと仮定される。それゆえ、上記のデシメーションは、エイリアシングを生じさせない。しかしながら、受信機に利用可能であるチャネルインパルス応答のＮ／３・Ｔchipx1の時間ドメイン期間は、（その持続時間がＮＴchipx1までである）ＦＦＴウィンドウ循環シフトの導入により影響を受ける。この影響は、図２ａ〜図２ｆに関して下記で説明する方法で、考慮に入れられる。
【００２８】
図２ａ〜図２ｃは、循環シフトなしのケースを示している。図２ａは、受信機に利用可能でない、必要とされるインパルス応答を示している。図２ｂは、周波数ドメインにおける３によるデシメーションにより生じる時間ドメイン複製を示している。エイリアシングはない。図２ｃは、受信機に利用可能であるインパルス応答を示しており、これは、複製されたインパルス応答のうちの１つの期間である。受信機は、シフトされていないバージョンの必要とされるインパルス応答を有している。
【００２９】
図２ｄ〜図２ｆは、図２ａ〜図２ｃにそれぞれ対応するプロットを示しているが、ＮＴchipx1までの循環シフトが導入されているケースである。受信機が、循環的にシフトされるバージョンの必要とされるインパルス応答を有していることは明らかである。インパルス応答に対して導入される循環シフトは、Ｎ／３・Ｔchipx1を法とするＦＦＴウィンドウに対して導入される循環シフトである。
【００３０】
受信機Ａとしても呼ばれる１つの既知の受信機の設計は、以下のステップを実行する：
Ａ１．
【数３】
2014161035.tif 000005
【００３１】
補間されたパイロットは、ＮIFFTの長さにゼロパディングされ、３ＦBinの周波数サンプリング間隔と３ＦBinＮIFFTの周波数期間とを取得する。ゼロパディングされたパイロットは、ＮIFFTポイントＩＦＦＴにより時間ドメインにコンバートされ、チャネルインパルス応答のＮIFFTサンプルの推定をもたらす。このインパルス応答推定は、Ｎ／３ＮIFFT・Ｔchipx1のサンプリング間隔と、Ｎ／３・Ｔchipx1の期間とを有する。これは、図２ｃにおけるインパルス応答である。  
Ａ２．インパルス応答推定は、フィルタリングおよびしきい値処理のような処理にかけられる。  
Ａ３．ＦＦＴウィンドウのポジションを決定するために、時間追跡アルゴリズムにより、インパルス応答が使用される。  
Ａ４．３／２ＦＦＴスキームとして呼ばれることが多い以下のスキームにしたがって、周波数応答がパイロット間で補間される。インパルス応答は、３ＮIFFTサンプルの長さにゼロパディングされ、そのサンプリング間隔は変化しないままにされ（Ｎ／３ＮIFFT・Ｔchipx1）、その時間期間は、ＮＴchipx1に増加される。これは、結果的に、図２ａにおける所望のインパルス応答になる。ゼロパディングされたインパルス応答は、３ＮIFFTポイントＦＦＴにより、周波数ドメインにコンバートされ、（復調のために必要とされるような）ＦBinの周波数時間間隔と、３ＮIFFTビンの周波数期間とを持つ周波数応答をもたらす。補間スキームの名前は、一般的に、３ＮIFFT＝３／２・Ｎであるという事実に由来する。
【００３２】
上記のステップＡ４における補間は、３ＮIFFTポイントＦＦＴを必要とする。純粋なハードウェアインプリメンテーションの理由で、これは、以下のような、３つのＮIFFTポイントＦＦＴを必要とする数学的に均等な方法で実行される。ＮIFFTサンプルのインパルス応答｛ｈ（ｎ）｝ＮIFFT−１ｎ＝０の場合、３ＮIFFTの長さに｛ｈ（ｎ）｝ＮIFFT−１ｎ＝０をゼロパディングし、３ＮIFFTポイントＦＦＴを実行することにより取得される３ＮIFFTポイントの周波数応答｛Ｈ（ｋ）｝３ＮIFFT−１ｋ＝０を計算することが望ましい。これは、以下の方程式（ｍの各値に対して１つのＦＦＴ）にしたがって、３つのＮIFFTポイントＦＦＴにより取得してもよい：
【数４】
2014161035.tif 000006
【００３３】
“位相ランピング”として呼ばれる、ＦＦＴの前の線形位相項による乗算は、受信機Ａ中のハードウェアにより実現される。
【００３４】
図２ｄにおいて示されているように、ＦＦＴウィンドウに循環シフトを導入すると、チャネルインパルス応答中の対応する循環シフトになる。ｆｆｔｗｉｎ＿ｓｈｉｆｔサンプルの循環シフトを、Ｔchipx1においてサンプリングされるＦＦＴウィンドウのサンプルに適用するときに、ｆｆｔｗｉｎ＿ｓｈｉｆｔ・Ｔchipx1秒の対応する循環シフトが、図２ｄのインパルス応答に導入される。したがって、図２ｄ〜図２ｆでは、“シフト”＝ｆｆｔｗｉｎ＿ｓｈｉｆｔ・Ｔchipx1である。このスキームにおけるインパルス応答サンプリング間隔は、Ｎ／３ＮIFFT・Ｔchipx1であるので、図２ｄ〜図２ｆにおける“シフト”は、サンプルにおける以下の循環シフトｉｍｐｒｅｓｐ＿ｓｈｉｆｔ＝３ＮIFFT／Ｎ・ｆｆｗｉｎ＿ｓｈｉｆｔに対応する。したがって、（図２ｆにおいて示されている、）上記のステップＡ１のチャネルインパルス応答に導入される循環シフトは、次のように与えられる。
【数５】
2014161035.tif 000007
【００３５】
ＦＦＴウィンドウにおける循環シフトの影響を補償するために、受信機Ａにおける時間追跡アルゴリズムを以下のように改良してもよい。初めに、ＦＦＴウィンドウシフトの影響を取り除くために、ｉｍｐｒｅｓｐ＿ｓｈｉｆｔ＿ｍｏｄサンプルの左への逆循環シフトが、ステップＡ１のインパルス応答に適用される（図２ｆ）。その後、結果のインパルス応答推定を用いて、（上記のステップＡ２のフィルタリング／しきい値処理で始まる）受信機Ａの時間追跡アルゴリズムが、上記で説明したのと同じ方法で実行される。
【００３６】
図３ａ〜図３ｄに関して説明するように、インパルス応答｛ｈ（ｎ）｝ＮIFFT−１ｎ＝０に導入される循環シフトは、ステップＡ４の補間スキームによる問題になる。図３ａおよび図３ｂは、オリジナルの補間スキームのゼロパディングによる、循環的にシフトされたインパルス応答を示している。このゼロパディングは誤っている。シフトされたインパルス応答に対して必要とされるゼロパディングは、図３ｃおよび図３ｄにおいて示されている。遅延拡散は、Ｎ／３・Ｔchipx1より小さいと仮定されるので、図３ｃのシフトされたインパルス応答の、２つの非ゼロの部分の間には、ゼロ間隔があることに留意されたい。
【００３７】
上記のステップＡ４を、以下のステップによって置換した場合に、図３ｄにしたがった所望のゼロパディングが実現される：
ＭＡ１．現在のＯＦＤＭシンボルに適用される循環シフトである累積時間更新に、ｆｆｔｗｉｎ＿ｓｈｉｆｔをセットする。  
ＭＡ２．インパルス応答循環シフト（ｉｍｐｒｅｓｐ＿ｓｈｉｆｔ）を計算する：
ｉｍｐｒｅｓｐ＿ｓｈｉｆｔ＝ｒｏｕｎｄ（３・ＮIFFT／Ｎ・ｆｆｗｉｎ＿ｓｈｉｆｔ）
これは、Ｔchipx1においてサンプリングされるｆｆｗｉｎ＿ｓｈｉｆｔを、Ｎ／３ＮIFFT・Ｔchipx1であるインパルス応答サンプリング間隔にコンバートする（丸め量子化誤差は、補間に影響を与えない）。  
ＭＡ３．ｉｍｐｒｅｓｐ＿ｓｈｉｆｔ＿ｍｏｄ＝ｍｏｄ（ｉｍｐｒｅｓｐ＿ｓｈｉｆｔ，ＮIFFT）をセットする。  
ＭＡ４．ｍ＝０，１，２に対して、３つのＮIFFTポイントの線形位相項をセットする。  
【数６】
2014161035.tif 000008
【００３８】
ＭＡ５．３つのＦＦＴ入力｛ｙm（ｎ）｝ＮIFFT−１ｎ＝０、 ｍ＝０，１，２を以下のように計算する：
【数７】
2014161035.tif 000009
【００３９】
ＭＡ６．補間された３ＮIFFTポイントのチャネル周波数応答｛Ｈ（ｋ）｝３ＮIFFT−１ｋ＝０を計算する：
【数８】
2014161035.tif 000010
【００４０】
ステップＭＡ１〜ＭＡ５にしたがった改良は、位相ランピングに対する非ゼロの初期位相の追加として、および、インパルス応答を読み取り、入力を書き込むための循環アドレッシングモードのＦＦＴに対する追加として、特徴付けられる。循環アドレッシングモードは、循環アドレッシングオフセットを使用し、循環アドレッシングオフセットは、上記のｐｍおよびｙｍにおける使用に対して、“サンプルｎ＋サンプルオフセット量”に対応するアドレス（ここで、サンプルオフセット量は、循環シフトｉｍｐｒｅｓｐ＿ｓｈｉｆｔに関連している）が、単にサンプルｎに対応するアドレスの代わりに必要とされると理解することができる。同じ循環アドレッシングメカニズムを使用して、両方のアドレスを制御することができる。
【００４１】
上記で示したように、シフトされたインパルス応答の、２つの非ゼロの部分の間には、ゼロ間隔がある（図３ｃ参照）。ステップＭＡ１〜ＭＡ６にしたがった改良は、ｉｍｐｒｅｓｐ＿ｓｈｉｆｔ＿ｍｏｄの値が、このゼロ間隔内に入ることを必要とする。それゆえ、ｉｍｐｒｅｓｐ＿ｓｈｉｆｔ＿ｍｏｄの近似値（と、ｉｍｐｒｅｓｐ＿ｓｈｉｆｔおよびｆｆｔｗｉｎ＿ｓｈｉｆｔの結果的な近似値）で十分だろう。上記のステップＭＡ１およびＭＡ２において、このことを利用してもよい。
【００４２】
理想的には、上記のＭＡ１〜ＭＡ６のステップに対しては、現在のＯＦＤＭシンボルに適用される循環シフト値を、ｆｆｗｉｎ＿ｓｈｉｆｔの値に対して使用しないだろう。むしろ、チャネル推定により復調されることになるＯＦＤＭシンボルに適用された循環シフトに等しい値が使用されるだろう。この後者の値は、復調されることになるＯＦＤＭシンボルまでの累積時間更新に等しい。しかしながら、復調されることになるＯＦＤＭシンボルに適用された循環シフト値と、現在のＯＦＤＭシンボルに適用される循環シフト値との間の差は小さい（復調されることになるＯＦＤＭシンボルと現在のＯＦＤＭシンボルとの間の時間更新の合計である）ので、現在のＯＦＤＭ循環シフト値の使用は、良好な近似である。これは、米国出願第１１／７７７，２５１号中で説明されているような既知のアルゴリズムに対する、循環シフトアプローチの別の利点である：これは、チャネル推定遅延（現在のＯＦＤＭシンボルと、チャネル推定により復調されることになるＯＦＤＭシンボルとの間のシンボルの数）に対処する必要がない。
【００４３】
ステップＭＡ４およびステップＭＡ５は、インパルス応答ならびにＦＦＴ入力の、連続する位相項および循環インデックス付けを使用することを示唆している。これは、唯一の可能性あるインプリメンテーションではない。何らかの数学的に均等なインプリメンテーションを使用することができるだろう。可能性ある例は、次のものを含んでいる：
１．ステップＭＡ４における、インパルス応答およびＦＦＴ入力のシリアルインデックス付けと、線形位相項の循環インデックス付け、
２．ステップＭＡ４における、インパルス応答およびＦＦＴ入力のシリアルインデックス付けと、線形位相項の循環的にシフトされた（非連続の）バージョンの発生、
３．２つのシリアルアドレッシングモードによる、循環アドレッシングモードのインプリメンテーションである。
【００４４】
ここでは受信機Ｂとして呼ばれる別の既知の受信機の設計が、以下のステップを実行する：
Ｂ１．
【数９】
2014161035.tif 000011
【００４５】
補間されたパイロットは、Ｎの長さにゼロパディングされる。パイロットがそれらの本来のポジションに位置付けられるように、パイロット間にゼロを（２つの連続したパイロットごとの間に２つのゼロを）挿入する。周波数ドメインにおけるサンプリング間隔は、ＦBinであり、周波数ドメインにおける期間は、ＮＦBinである。ゼロパディングされたパイロットは、ＮポイントＩＦＦＴにより時間ドメインにコンバートされ、チャネルインパルス応答のＮサンプルの推定をもたらす。このインパルス応答は、Ｔchipx1の時間サンプリング間隔と、ＮＴchipx1の期間とを有する。パイロット間のゼロ値のために、周波数ドメイン中の有効なサンプリング間隔は３ＦBinになるので、インパルス応答の有効な期間は、Ｎ／３・Ｔchipx1である。これは、結果的に、３つの同一のレプリカを有するＮＴchipx1長のインパルス応答になり、それぞれのレプリカは、Ｎ／３・Ｔchipx1長である。これは、まさしく図２ｂである。  
Ｂ２．第１のインパルス応答レプリカはそのまま残される。第２のレプリカと第３のレプリカは、ゼロにされる。これは、結果的に、（図２ｃにおいて示されているような）図２ａの所望のインパルス応答になる。  
Ｂ３．インパルス応答推定は、フィルタリングおよびしきい値処理のような処理にかけられる。  
Ｂ４．ＦＦＴウィンドウを位置付けるために、時間追跡アルゴリズムにより、インパルス応答が使用される。  
Ｂ５．インパルス応答は、ＮポイントＦＦＴにより、周波数ドメインにコンバートされ、（復調のために必要とされるような、）ＦBinに等しい周波数サンプリング間隔と、ＮＦBinの周波数スパンとを持つ周波数応答をもたらす。
【００４６】
図２ｄ〜図２ｆにおいて示されているように、ＦＦＴウィンドウに循環シフトを導入すると、チャネルインパルス応答における対応する循環シフトになる。ｆｆｔｗｉｎ＿ｓｈｉｆｔサンプルの循環シフトがＦＦＴウィンドウ内のサンプルに適用されるときに、ｆｆｔｗｉｎ＿ｓｈｉｆｔサンプルの同一のシフトが、図２ｄのインパルス応答に導入される。その理由は、ＦＦＴウィンドウとインパルス応答が、同じサンプリング間隔を共有しているからである。図２ｅ中の２つの所望でないレプリカをゼロにするために既知のｆｆｔｗｉｎ＿ｓｈｉｆｔを使用してもよい。ｆｆｔｗｉｎ＿ｓｈｉｆｔにおいて開始し、Ｎ／３サンプルの間続くレプリカはそのまま残され、他のサンプルはすべてゼロにされる。これは、結果的に、図２ｄの所望のインパルス応答になる。
【００４７】
ＦＦＴウィンドウにおける循環シフトの影響を補償するために、受信機Ｂにおける時間追跡アルゴリズムを以下のように改良してもよい。初めに、ｆｆｔｗｉｎ＿ｓｈｉｆｔの左への逆循環シフトが、（図２ｅにおける先述したゼロ化により生成された）１つのレプリカインパルス応答に適用される。その後、結果のインパルス応答推定を用いて、（上記のステップＢ３のフィルタリング／しきい値処理で始まる）オリジナルの時間追跡アルゴリズムが、上記で説明したのと同じ方法で実行される。
【００４８】
ＮポイントＦＦＴを使用して、単に、（図２ｅにおけるゼロ化により生成された）１つのレプリカインパルス応答を周波数ドメインにコンバートして戻すことにより、ＦＦＴウィンドウにおける循環シフトの影響を補償するために、受信機Ｂにおける周波数応答補間を改良してもよい。
【００４９】
図５は、本ワークの例示的な実施形態にしたがった、ＯＦＤＭ受信機装置を図示的に示している。いくつかの実施形態では、受信機装置は、移動体プラットフォーム（例えば、セル電話機、ポータブルコンピューティング装置等）上に提供されており、固定サイトのプラットフォーム（例えば、基地局、ノードＢ装置、アクセスポイント等）または別の移動体プラットフォームのいずれかにおいて提供されている送信機からＯＦＤＭ送信を受信する。いくつかの実施形態では、受信機装置は、固定サイトのプラットフォーム上に提供されており、移動体プラットフォーム上または別の固定サイトのプラットフォーム上のいずれかに提供されている送信機からＯＦＤＭ送信を受信する。アンテナアレンジメント５０により受信したＯＦＤＭシンボルのシーケンスは、受信機フロントエンドアレンジメント５１に提供され、受信機フロントエンドアレンジメント５１は、従来の技術を使用して、各ＯＦＤＭシンボルに対して、それぞれのサンプル時間間隔において時間ドメインサンプルのシーケンスを生成させる（図１および図４も参照）。
【００５０】
ＦＦＴウィンドウ導出器５２は、（タイミング制御ユニット５９において実現される時間追跡アルゴリズムにしたがって生成された）ＦＦＴウィンドウポジション情報５００を使用して、受信したシーケンス中の各ＯＦＤＭシンボルに対して、そのＯＦＤＭシンボルのサンプルに対する初期ＦＦＴウィンドウを導出する。これらの初期ＦＦＴウィンドウは、一般的に、５０６において示されている。循環シフター５３は、その後、タイミング制御ユニット５９により提供される循環シフト情報５０１により要求されるように、初期ＦＦＴウィンドウ５０６のそれぞれの内のサンプルを循環的にシフトさせる。上記で説明したように、この循環シフティングは、対応するＯＦＤＭシンボルの時間ベースを、基準ＯＦＤＭシンボルの時間ベースに変換する。ＦＦＴユニット５４は、循環シフター５３により５０７において生成された、ＦＦＴウィンドウ中のサンプルに関して、従来のＦＦＴ処理操作を実行する。ＦＦＴユニット５４により５０４において生成された各ＦＦＴ結果に対して、復調ユニット５５は、チャネル推定器５７により生成された対応するチャネル推定情報５０３を使用して、従来技術にしたがって、対応するＯＦＤＭシンボルを復調する。復調結果５０５は、従来技術を使用して、復調結果から情報ビット５０２を生成させるデコーディングユニット５６に提供される。
【００５１】
ＦＦＴウィンドウポジション情報５００を生成させるためにタイミング制御ユニット５９が実現する時間追跡アルゴリズムに対しても、チャネル推定情報５０３が提供される。
【００５２】
受信機Ａおよび受信機Ｂに関して上記で説明した方法でチャネル推定を改良する実施形態において、チャネル推定器５７は、図５において破線により示されているように、循環シフト情報５０１を受け取る。
【００５３】
図６は、本ワークの例示的な実施形態にしたがった、タイミング制御ユニット５９を図示的に示している。６１において示されている前述の時間追跡アルゴリズムは、チャネル推定情報５０３に基づいて、ＦＦＴウィンドウオフセット情報６４を生成させる。ウィンドウポジショナー６２は、ＦＦＴウィンドウオフセット情報６４に応答して、ＦＦＴウィンドウポジション情報５００を生成させる（図５も参照）。アキュムレーター６３は、６４において生成されたＦＦＴウィンドウオフセット量のランニング合計を維持する。このランニング合計は、循環シフト情報５０１を構成し、循環シフター５３に提供される。受信機Ａおよび受信機Ｂに関して上記で説明した方法で時間追跡アルゴリズムを改良する実施形態において、循環シフト情報５０１は、図６において破線により示されているように、時間追跡アルゴリズム６１にも提供される。
【００５４】
当業者は、さまざまな異なる技術および技法のうちの任意のものを使用して情報および信号を表してもよいことを理解するだろう。例えば、上記の説明全体を通して参照されたかもしれない、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００５５】
ここで開示した実施形態に関連して説明した、さまざまな例示的な論理ブロック、モジュール、回路およびアルゴリズムステップが、電子ハードウェア、コンピュータソフトウェア、あるいは双方の組み合わせたものとして実現してもよいことを当業者はさらに正しく認識するだろう。ハードウェアおよびソフトウェアの交換可能性を明確に図示するために、さまざまな例示的なコンポーネント、ブロック、モジュール、回路およびステップを一般的にこれらの機能性に関して上記で説明した。このような機能性がハードウェアあるいはソフトウェアとして実現されるか否かは、特定の応用および全体的なシステムに課せられた設計の制約に依存する。当業者は、それぞれの特定の応用に対して方法を変化させて、説明した機能性を実現してもよいが、このようなインプリメンテーション決定は、本ワークの範囲からの逸脱を生じさせるものとして解釈すべきではない。
【００５６】
ここで開示した実施形態に関連して説明した、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、ここで説明した機能を実行するために設計されたこれらの何らかの組み合わせで、実現してもよく、あるいは、実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現してもよい。
【００５７】
ここで開示した実施形態と関連して説明した方法またはアルゴリズムのステップは、直接、ハードウェアで、プロセッサにより実行されるソフトウェアモジュールで、あるいは、２つの組み合わせで具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合される。代替実施形態では、記憶媒体はプロセッサと一体化してもよい。プロセッサおよび記憶媒体は、ＡＳＩＣに存在してもよい。ＡＳＩＣはユーザ端末に存在してもよい。代替実施形態では、プロセッサおよび記憶媒体は、ユーザ端末中のディスクリートコンポーネントとして存在してもよい。
【００５８】
開示した実施形態のこれまでの説明は、当業者が本ワークの原理を具現化する製品を製作または使用できるように提供した。これらの実施形態に対するさまざま改良は当業者に容易に明らかとなり、ここに定義された一般的な原理は、本開示の精神および範囲を逸脱することなく、他の実施形態に適用されてもよい。したがって、本ワークはここに示された実施形態に限定されることを意図しているものではなく、ここで開示されている原理および新しい特徴と一致した最も広い範囲に一致させるべきである。
【図１】
2014161035.tif 000012
【図２−１】
2014161035.tif 000013
【図２−２】
2014161035.tif 000014
【図３−１】
2014161035.tif 000015
【図３−２】
2014161035.tif 000016
【図４】
2014161035.tif 000017
【図５】
2014161035.tif 000018
【図６】
2014161035.tif 000019
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
ワイヤレス通信方法において、
ＯＦＤＭシンボルのシーケンスを受信することと、
前記ＯＦＤＭシンボルのシーケンス内のターゲットＯＦＤＭシンボルに対して、それぞれのサンプル時間間隔において、時間ドメインサンプルの対応するシーケンスを生成させることと、
前記ターゲットＯＦＤＭシンボルの送信タイミングを追跡することに関係する前記サンプル時間間隔の数を決定することを含む、前記ＯＦＤＭシンボルのシーケンスの送信タイミングを追跡することと、
前記サンプル時間間隔の数だけ、前記サンプルのシーケンスに関するＦＦＴウインドウをシフトさせ、その後、前記ＦＦＴウインドウ中に含まれている前記サンプルを抽出することと、
前記サンプル時間間隔の数に基づいている累積値を更新することと、
前記累積値だけ、前記抽出されたサンプルを循環的にシフトさせて、サンプルのさらなるシーケンスを生成させることと、
前記サンプルのさらなるシーケンスに関して、ＦＦＴ処理を適用することとを含む方法。
【請求項２】
ワイヤレス通信装置において、
ＯＦＤＭシンボルのシーケンスを受信する手段と、
前記ＯＦＤＭシンボルのシーケンス内のターゲットＯＦＤＭシンボルに対して、それぞれのサンプル時間間隔において、時間ドメインサンプルの対応するシーケンスを生成させる手段と、
前記ターゲットＯＦＤＭシンボルの送信タイミングを追跡することに関係する前記サンプル時間間隔の数を決定することを含む、前記ＯＦＤＭシンボルのシーケンスの送信タイミングを追跡する手段と、
前記サンプル時間間隔の数だけ、前記サンプルのシーケンスに関するＦＦＴウインドウをシフトさせ、その後、前記ＦＦＴウインドウ中に含まれている前記サンプルを抽出する手段と、
累積値を更新する手段と、
前記累積値だけ、前記抽出されたサンプルを循環的にシフトさせて、サンプルのさらなるシーケンスを生成させる手段と、
前記サンプルのさらなるシーケンスに関して、ＦＦＴ処理を適用する手段とを具備する装置。
【請求項３】
ワイヤレス通信装置において、
ＯＦＤＭシンボルのシーケンスを受信する入力と、
前記入力に結合され、前記ＯＦＤＭシンボルのシーケンス内のターゲットＯＦＤＭシンボルに対して、それぞれのサンプル時間間隔において、時間ドメインサンプルの対応するシーケンスを生成させるように構成されている受信機フロントエンドアレンジメントと、
前記ＯＦＤＭシンボルのシーケンスの送信タイミングを追跡し、前記ターゲットＯＦＤＭシンボルの送信タイミングを追跡することに関係する前記サンプル時間間隔の数を決定するように構成され、前記サンプル時間間隔の数に基づいている累積値を更新するように構成されているタイミング制御装置と、
前記受信機フロントエンドアレンジメントと前記タイミング制御装置とに結合され、前記サンプル時間間隔の数だけ、前記サンプルのシーケンスに関するＦＦＴウインドウをシフトさせるように構成され、その後、前記ＦＦＴウインドウ中に含まれている前記サンプルを抽出するようにさらに構成されているＦＦＴウインドウ抽出器と、
前記ＦＦＴウインドウ抽出器と前記タイミング制御装置とに結合され、前記累積値だけ、前記抽出されたサンプルを循環的にシフトさせて、サンプルのさらなるシーケンスを生成させるように構成されている循環シフターと、
前記循環シフターに結合され、前記サンプルのさらなるシーケンスに関して、ＦＦＴ処理を適用するように構成されているＦＦＴユニットとを具備する装置。
【請求項４】
ワイヤレス通信をサポートするためのコンピュータ読取可能記憶媒体において、
少なくとも１つのデータプロセッサに、受信したＯＦＤＭシンボルのシーケンス内のターゲットＯＦＤＭシンボルに対して、それぞれのサンプル時間間隔において、時間ドメインサンプルの対応するシーケンスを生成させるためのコードと、
前記少なくとも１つのデータプロセッサに、前記ＯＦＤＭシンボルのシーケンスの送信タイミングを追跡させ、前記ターゲットＯＦＤＭシンボルの送信タイミングを追跡することに関係する前記サンプル時間間隔の数を決定させるためのコードと、
前記少なくとも１つのデータプロセッサに、前記サンプル時間間隔の数だけ、前記サンプルのシーケンスに関するＦＦＴウインドウをシフトさせ、その後、前記ＦＦＴウインドウ中に含まれている前記サンプルを抽出させるためのコードと、
前記少なくとも１つのデータプロセッサに、前記サンプル時間間隔の数に基づいている累積値を更新させるためのコードと、
前記少なくとも１つのデータプロセッサに、前記累積値だけ、前記抽出されたサンプルを循環的にシフトさせて、サンプルのさらなるシーケンスを生成させるためのコードと、
前記少なくとも１つのデータプロセッサに、前記サンプルのさらなるシーケンスに関して、ＦＦＴ処理を適用させるためのコードとを含むコンピュータ読取可能記憶媒体。
【請求項５】
ワイヤレス通信方法において、
ＯＦＤＭシンボルのシーケンスを受信することと、
前記ＯＦＤＭシンボルの受信されたシーケンス内のターゲットＯＦＤＭシンボルに対して、それぞれのサンプル時間間隔において、時間ドメインサンプルの対応するシーケンスを生成させることと、
前記サンプル時間間隔の数だけ、前記サンプルのシーケンスに関するＦＦＴウインドウをシフトさせ、その後、前記ＦＦＴウインドウ中に含まれている前記サンプルを抽出することと、
前記サンプル時間間隔の数に基づいている累積値を更新することと、
前記累積値だけ、前記抽出されたサンプルを循環的にシフトさせて、サンプルのさらなるシーケンスを生成させることを含む、前記ターゲットＯＦＤＭシンボルに関係する時間ベースを、前記受信されたシーケンス中の別のＯＦＤＭシンボルに関係する時間ベースに変換することと、
前記サンプルのさらなるシーケンスに関して、ＦＦＴ処理を適用することとを含み、
前記受信されたＯＦＤＭシンボルは、ＯＦＤＭシンボルの送信されたシーケンスのＯＦＤＭシンボルにそれぞれ対応する方法。
【請求項６】
ワイヤレス通信装置において、
ＯＦＤＭシンボルのシーケンスを受信する手段と、
前記ＯＦＤＭシンボルの受信されたシーケンス内のターゲットＯＦＤＭシンボルに対して、それぞれのサンプル時間間隔において、時間ドメインサンプルの対応するシーケンスを生成させる手段と、
前記サンプル時間間隔の数だけ、前記サンプルのシーケンスに関するＦＦＴウインドウをシフトさせ、その後、前記ＦＦＴウインドウ中に含まれている前記サンプルを抽出する手段と、
前記サンプル時間間隔の数に基づいている累積値を更新する手段と、
前記累積値だけ、前記抽出されたサンプルを循環的にシフトさせて、サンプルのさらなるシーケンスを生成させる手段を備え、前記ターゲットＯＦＤＭシンボルに関係する時間ベースを、前記受信されたシーケンス中の別のＯＦＤＭシンボルに関係する時間ベースに変換する手段と、
前記サンプルのさらなるシーケンスに関して、ＦＦＴ処理を適用する手段とを具備し、
前記受信されたＯＦＤＭシンボルは、ＯＦＤＭシンボルの送信されたシーケンスのＯＦＤＭシンボルにそれぞれ対応する装置。
【請求項７】
ワイヤレス通信装置において、
ＯＦＤＭシンボルのシーケンスを受信する入力と、
前記入力に結合され、前記ＯＦＤＭシンボルの受信されたシーケンス内のターゲットＯＦＤＭシンボルに対して、それぞれのサンプル時間間隔において、時間ドメインサンプルの対応するシーケンスを生成させるように構成されている受信機フロントエンド装置と、
前記受信機フロントエンド装置に結合され、前記サンプル時間間隔の数だけ、前記サンプルのシーケンスに関するＦＦＴウインドウをシフトさせるように構成され、その後、前記ＦＦＴウインドウ中に含まれている前記サンプルを抽出するようにさらに構成されているＦＦＴウインドウ抽出器と、
前記サンプル時間間隔の数に基づいている累積値を更新するように構成されている制御装置と、
前記ＦＦＴウインドウ抽出器と前記制御装置とに結合され、前記累積値だけ、前記抽出されたサンプルを循環的にシフトさせて、前記ターゲットＯＦＤＭシンボルに関係する時間ベースの、前記受信されたシーケンス中の別のＯＦＤＭシンボルに関係する時間ベースへの変換を表す、サンプルのさらなるシーケンスを生成させるように構成されている循環シフターと、
前記循環シフターに結合され、前記サンプルのさらなるシーケンスに関して、ＦＦＴ処理を適用するように構成されているＦＦＴユニットとを具備し、
前記受信されたＯＦＤＭシンボルは、ＯＦＤＭシンボルの送信されたシーケンスのＯＦＤＭシンボルにそれぞれ対応する装置。
【請求項８】
ワイヤレス通信をサポートするためのコンピュータ読取可能記憶媒体において、
受信したＯＦＤＭシンボルのシーケンス内のターゲットＯＦＤＭシンボルに対して、少なくとも１つのデータプロセッサに、それぞれのサンプル時間間隔において、時間ドメインサンプルの対応するシーケンスを生成させるためのコードと、
前記少なくとも１つのデータプロセッサに、前記サンプル時間間隔の数だけ、前記サンプルのシーケンスに関するＦＦＴウインドウをシフトさせ、その後、前記ＦＦＴウインドウ中に含まれている前記サンプルを抽出させるためのコードと、
前記少なくとも１つのデータプロセッサに、前記サンプル時間間隔の数に基づいている累積値を更新させるためのコードと、
前記少なくとも１つのデータプロセッサに、前記累積値だけ、前記抽出されたサンプルを循環的にシフトさせて、サンプルのさらなるシーケンスを生成させるためのコードを含む、前記少なくとも１つのデータプロセッサに、前記ターゲットＯＦＤＭシンボルに関係する時間ベースを、前記受信されたシーケンス中の別のＯＦＤＭシンボルに関係する時間ベースに変換させるためのコードと、
前記少なくとも１つのデータプロセッサに、前記サンプルのさらなるシーケンスに関して、ＦＦＴ処理を適用させるためのコードとを含み、
前記受信されたＯＦＤＭシンボルは、ＯＦＤＭシンボルの送信されたシーケンスのＯＦＤＭシンボルにそれぞれ対応するコンピュータ読取可能記憶媒体。
【手続補正２】
【補正対象書類名】明細書
【補正対象項目名】００５８
【補正方法】変更
【補正の内容】
【００５８】
開示した実施形態のこれまでの説明は、当業者が本ワークの原理を具現化する製品を製作または使用できるように提供した。これらの実施形態に対するさまざま改良は当業者に容易に明らかとなり、ここに定義された一般的な原理は、本開示の精神および範囲を逸脱することなく、他の実施形態に適用されてもよい。したがって、本ワークはここに示された実施形態に限定されることを意図しているものではなく、ここで開示されている原理および新しい特徴と一致した最も広い範囲に一致させるべきである。
以下に、本願出願時の特許請求の範囲に記載された発明を付記する。
［１］ワイヤレス通信方法において、
ＯＦＤＭシンボルのシーケンスを受信することと、
前記ＯＦＤＭシンボルのシーケンス内のターゲットＯＦＤＭシンボルに対して、それぞれのサンプル時間間隔において、時間ドメインサンプルの対応するシーケンスを生成させることと、
タイミング補正プロセスを使用して、前記ターゲットＯＦＤＭシンボルの送信と受信との間のタイミングオフセットを近似する前記サンプル時間間隔の数を決定することと、
前記サンプル時間間隔の数に基づいて、前記サンプルのシーケンスを循環的にシフトさせて、サンプルのさらなるシーケンスを生成させることと、
前記サンプルのさらなるシーケンスに関して、ＦＦＴ処理を適用することとを含む方法。
［２］前記ＯＦＤＭシンボルの連続するシンボルは、前記ターゲットＯＦＤＭシンボルの連続するインスタンスを構成し、
前記生成させることと、前記使用することと、前記循環的にシフトさせることと、前記適用することとを、前記ターゲットシンボルの前記各インスタンスに関して実行することを含む［１］記載の方法。
［３］前記ターゲットＯＦＤＭシンボルの前記各インスタンスに対して、
前記ＯＦＤＭシンボルのシーケンス中の前のすべてのＯＦＤＭシンボルに対して決定された前記サンプル時間間隔の数の累積を表す累積値を提供することと、
前記累積値を更新して、前記ターゲットＯＦＤＭシンボルの前記インスタンスに関係する前記サンプル時間間隔の数に対処する更新された累積値を生成させることとを含み、
前記循環的にシフトさせることは、前記ターゲットＯＦＤＭシンボルの前記各インスタンスに対して、前記更新された累積値に等しいサンプル時間間隔の数だけ、サンプルの関係するシーケンスを循環的にシフトさせることを含む［２］記載の方法。
［４］ワイヤレス通信装置において、
ＯＦＤＭシンボルのシーケンスを受信する手段と、
前記ＯＦＤＭシンボルのシーケンス内のターゲットＯＦＤＭシンボルに対して、それぞれのサンプル時間間隔において、時間ドメインサンプルの対応するシーケンスを生成させる手段と、
タイミング補正プロセスを使用して、前記ターゲットＯＦＤＭシンボルの送信と受信との間のタイミングオフセットを近似する前記サンプル時間間隔の数を決定する手段と、
前記サンプル時間間隔の数に基づいて、前記サンプルのシーケンスを循環的にシフトさせて、サンプルのさらなるシーケンスを生成させる手段と、
前記サンプルのさらなるシーケンスに関して、ＦＦＴ処理を適用する手段とを具備する装置。
［５］前記ＯＦＤＭシンボルの連続するシンボルは、前記ターゲットＯＦＤＭシンボルの連続するインスタンスを構成し、
前記生成させることと、前記使用することと、前記循環的にシフトさせることと、前記適用することとを、前記ターゲットＯＦＤＭシンボルの前記各インスタンスに対して実行する手段を具備する［４］記載の装置。
［６］前記ターゲットＯＦＤＭシンボルの前記各インスタンスに関して動作可能であり、前記ＯＦＤＭシンボルのシーケンス中の前のすべてのＯＦＤＭシンボルに対して決定された前記サンプル時間間隔の数の累積を表す累積値を提供する手段と、
前記ターゲットＯＦＤＭシンボルの前記各インスタンスに関して動作可能であり、前記累積値を更新して、前記ターゲットＯＦＤＭシンボルの前記インスタンスに関係する前記サンプル時間間隔の数に対処する更新された累積値を生成させる手段とを具備し、
前記循環的にシフトさせる手段は、前記ターゲットＯＦＤＭシンボルの前記各インスタンスに関して動作可能であり、前記更新された累積値に等しいサンプル時間間隔の数だけ、サンプルの関係するシーケンスを循環的にシフトさせる手段を備える［５］記載の装置。
［７］ワイヤレス通信装置において、
ＯＦＤＭシンボルのシーケンスを受信する入力と、
前記入力に結合され、前記ＯＦＤＭシンボルのシーケンス内のターゲットＯＦＤＭシンボルに対して、それぞれのサンプル時間間隔において、時間ドメインサンプルの対応するシーケンスを生成させるように構成されている受信機フロントエンドアレンジメントと、
タイミング補正プロセスを使用して、前記ターゲットＯＦＤＭシンボルの送信と受信との間のタイミングオフセットを近似する前記サンプル時間間隔の数を決定するように構成されているタイミング制御装置と、
前記受信機フロントエンドアレンジメントと前記タイミング制御装置とに結合され、前記サンプル時間間隔の数に基づいて、前記サンプルのシーケンスを循環的にシフトさせて、サンプルのさらなるシーケンスを生成させるように構成されている循環シフターと、
前記循環シフターに結合され、前記サンプルのさらなるシーケンスに関して、ＦＦＴ処理を適用するように構成されているＦＦＴユニットとを具備する装置。
［８］前記受信機フロントエンドアレンジメントは、前記ターゲットＯＦＤＭシンボルの連続するインスタンスとして、前記ＯＦＤＭシンボルの連続するシンボルを提供し、前記ターゲットＯＦＤＭシンボルの前記各インスタンスに対して、それぞれのサンプル時間間隔において、時間ドメインサンプルの対応するシーケンスを生成させ、
前記タイミング制御装置は、前記タイミング補正プロセスを使用して、前記ターゲットＯＦＤＭシンボルの前記各インスタンスに対して、前記ターゲットＯＦＤＭシンボルの前記インスタンスの送信と受信との間のタイミングオフセットを近似する前記サンプル時間間隔の数を決定し、
前記循環シフターは、前記ターゲットＯＦＤＭシンボルの前記各インスタンスに対して、前記サンプル時間間隔の関係する数に基づいて、サンプルの関係するシーケンスを循環的にシフトさせて、サンプルのさらなるシーケンスを生成させ、
前記ＦＦＴユニットは、前記ターゲットＯＦＤＭシンボルの前記各インスタンスに対して、サンプルの関係するさらなるシーケンスに関して、ＦＦＴ処理を適用する［７］記載の装置。
［９］前記タイミング制御装置は、前記ターゲットＯＦＤＭシンボルの前記各インスタンスに対して、前記ＯＦＤＭシンボルのシーケンス中の前のすべてのＯＦＤＭシンボルに対して決定された前記サンプル時間間隔の数の累積を表す累積値を提供し、前記累積値を更新して、前記ターゲットＯＦＤＭシンボルの前記インスタンスに関係する前記サンプル時間間隔の数に対処する更新された累積値を生成させ、
前記循環シフターは、前記ターゲットＯＦＤＭシンボルの前記各インスタンスに対して、前記更新された累積値に等しいサンプル時間間隔の数だけ、サンプルの関係するシーケンスを循環的にシフトさせる［８］記載の装置。
［１０］コンピュータ読取可能媒体を具備し、ワイヤレス通信をサポートするコンピュータプログラムプロダクトにおいて、
前記コンピュータ読取可能媒体は、
少なくとも１つのデータプロセッサに、受信したＯＦＤＭシンボルのシーケンス内のターゲットＯＦＤＭシンボルに対して、それぞれのサンプル時間間隔において、時間ドメインサンプルの対応するシーケンスを生成させるためのコードと、
前記少なくとも１つのデータプロセッサに、タイミング補正プロセスを使用して、前記ターゲットＯＦＤＭシンボルの送信と受信との間のタイミングオフセットを近似する前記サンプル時間間隔の数を決定させるためのコードと、
前記少なくとも１つのデータプロセッサに、前記サンプル時間間隔の数に基づいて、前記サンプルのシーケンスを循環的にシフトさせて、サンプルのさらなるシーケンスを生成させるためのコードと、
前記少なくとも１つのデータプロセッサに、前記サンプルのさらなるシーケンスに関して、ＦＦＴ処理を適用させるためのコードとを含むコンピュータプログラムプロダクト。
［１１］前記ＯＦＤＭシンボルの連続するシンボルは、前記ターゲットＯＦＤＭシンボルの連続するインスタンスを構成し、
前記コンピュータ読取可能媒体は、前記少なくとも１つのデータプロセッサに、前記生成させることと、前記使用することと、前記循環的にシフトさせることと、前記適用することとを、前記ターゲットシンボルの前記各インスタンスに関して実行させるためのコードを含む［１０］記載のコンピュータプログラムプロダクト。
［１２］前記コンピュータ読取可能媒体は、前記ターゲットＯＦＤＭシンボルの前記各インスタンスに対して、前記少なくとも１つのデータプロセッサに、
前記ＯＦＤＭシンボルのシーケンス中の前のすべてのＯＦＤＭシンボルに対して決定された前記サンプル時間間隔の数の累積を表す累積値を提供させ、
前記累積値を更新して、前記ターゲットＯＦＤＭシンボルの前記インスタンスに関係する前記サンプル時間間隔の数に対処する更新された累積値を生成させ、
前記更新された累積値に等しいサンプル時間間隔の数だけ、サンプルの関係するシーケンスを循環的にシフトさせるためのコードを含む［１１］記載のコンピュータプログラムプロダクト。
［１３］ワイヤレス通信方法において、
ＯＦＤＭシンボルのシーケンスを受信することと、
前記ＯＦＤＭシンボルのそれぞれに対して、それぞれのサンプル時間間隔において、時間ドメインサンプルの対応するシーケンスを生成させることと、
少なくとも１つの前記ＯＦＤＭシンボルに対して、
前記サンプルの対応するシーケンスを循環的にシフトさせて、サンプルのさらなるシーケンスを生成させることを含み、前記少なくとも１つのＯＦＤＭシンボルに関係する時間ベースを変換して、対応する時間ベース変換されたＯＦＤＭシンボルを生成させることと、
前記サンプルのさらなるシーケンスに関して、ＦＦＴ処理を適用することとを含む方法。
［１４］前記循環的にシフトさせることは、前記少なくとも１つのＯＦＤＭシンボルの送信と受信との間の推定されたタイミングオフセットに基づいている前記サンプル時間間隔の数だけ、前記サンプルのシーケンスを循環的にシフトさせることを含む［１３］記載の方法。
［１５］ワイヤレス通信装置において、
ＯＦＤＭシンボルのシーケンスを受信する手段と、
前記ＯＦＤＭシンボルのそれぞれに対して、それぞれのサンプル時間間隔において、時間ドメインサンプルの対応するシーケンスを生成させる手段と、
前記サンプルの対応するシーケンスを循環的にシフトさせて、サンプルのさらなるシーケンスを生成させる手段を備え、少なくとも１つの前記ＯＦＤＭシンボルに関して動作可能であり、前記少なくとも１つのＯＦＤＭシンボルに関係する時間ベースを変換して、対応する時間ベース変換されたＯＦＤＭシンボルを生成させる手段と、
前記サンプルのさらなるシーケンスに関して、ＦＦＴ処理を適用する手段とを具備する装置。
［１６］前記循環的にシフトさせる手段は、前記少なくとも１つのＯＦＤＭシンボルの送信と受信との間の推定されたタイミングオフセットに基づいている前記サンプル時間間隔の数だけ、前記サンプルのシーケンスを循環的にシフトさせる手段を備える［１５］記載の装置。
［１７］ワイヤレス通信装置において、
ＯＦＤＭシンボルのシーケンスを受信する入力と、
前記入力に結合され、前記ＯＦＤＭシンボルのそれぞれに対して、それぞれのサンプル時間間隔において、時間ドメインサンプルの対応するシーケンスを生成させるように構成されている受信機フロントエンド装置と、
前記受信機フロントエンド装置に結合され、前記ＯＦＤＭシンボルの少なくとも１つに関係する前記サンプルのシーケンスを循環的にシフトさせて、前記少なくとも１つのＯＦＤＭシンボルの時間ベース変換を表す、サンプルのさらなるシーケンスを生成させるように構成されている循環シフターと、
前記循環シフターに結合され、前記サンプルのさらなるシーケンスに関して、ＦＦＴ処理を適用するように構成されているＦＦＴユニットとを具備する装置。
［１８］前記循環シフターは、前記少なくとも１つのＯＦＤＭシンボルの送信と受信との間の推定されたタイミングオフセットに基づいている前記サンプル時間間隔の数だけ、前記サンプルのシーケンスを循環的にシフトさせる［１７］記載の装置。
［１９］コンピュータ読取可能媒体を具備し、ワイヤレス通信をサポートするコンピュータプログラムプロダクトにおいて、
前記コンピュータ読取可能媒体は、
受信したＯＦＤＭシンボルのシーケンス内の各ＯＦＤＭシンボルに対して、少なくとも１つのデータプロセッサに、それぞれのサンプル時間間隔において、時間ドメインサンプルの対応するシーケンスを生成させるためのコードと、
前記少なくとも１つのデータプロセッサに、前記サンプルの対応するシーケンスを循環的にシフトさせて、サンプルのさらなるシーケンスを生成させるためのコードを含み、前記少なくとも１つのデータプロセッサに、前記ＯＦＤＭシンボルのうちの少なくとも１つのシンボルの時間ベースを変換して、対応する時間ベース変換されたＯＦＤＭシンボルを生成させるためのコードと、
前記少なくとも１つのデータプロセッサに、前記サンプルのさらなるシーケンスに関して、ＦＦＴ処理を適用させるためのコードとを含むコンピュータプログラムプロダクト。
［２０］前記コンピュータ読取可能媒体は、前記少なくとも１つのデータプロセッサに、前記少なくとも１つのＯＦＤＭシンボルの送信と受信との間の推定されたタイミングオフセットに基づいている前記サンプル時間間隔の数だけ、前記少なくとも１つのＯＦＤＭシンボルに関係する前記サンプルのシーケンスを循環的にシフトさせるためのコードを含む［１９］記載のコンピュータプログラムプロダクト。
【外国語明細書】
2014161035000001.pdf